(57)【要約】【課題】外部装置との間で行われる通信を適切に制御できるようにする。【解決手段】携帯電話機１は、人体の接触を検出した際にその人体の接触状況（例えば、単位時間当たり接触回数、接触部位など）を判別するほか、携帯電話機１の現在の使用状況（例えば、常時、充電中、機能動作中、無操作状態など）を判別し、この接触状況及び使用状況に基づいて携帯電話機１と腕時計２との間で行われるデータ通信（無線ＬＡＮ通信、人体接触通信、近距離通信のいずれかによるデータ通信）を制御する。【選択図】  図１
2010273070.tif 000002
【特許請求の範囲】
【請求項１】
外部装置との間で通信を行う通信手段を有する通信端末装置であって、
人体の接触を検出する接触検出手段と、
この接触検出手段によって人体の接触が検出されている状態での接触状況を判別する接触状況判別手段と、
この接触状況判別手段によって判別された接触状況に基づいて、所定の通信開始条件が満たされるか否かを判別する条件判別手段と、
この条件判別手段による判別結果に基づいて、前記外部装置との間で行われる前記通信手段による通信を制御する通信制御手段と、
を具備したことを特徴とする通信端末装置。
【請求項２】
人体に装着されている外部装置を前記外部装置として特定する特定手段を更に備え、
前記通信制御手段は、前記特定手段によって特定された前記外部装置との間で行われる前記通信手段による通信を制御する、
ようにしたことを特徴とする請求項１記載の通信端末装置。
【請求項３】
前記接触状況判別手段によって判別された接触状況に基づいて、通信対象のデータを選択する選択手段を更に備え、
前記通信制御手段は、前記選択手段によって選択されたデータの通信を実行するように制御する、
ようにしたことを特徴とする請求項１記載の通信端末装置。
【請求項４】
前記接触状況判別手段によって判別された接触状況に基づいて、送信及び受信の少なくともいずれか一方を選択する選択手段を更に備え、
前記通信制御手段は、前記選択手段によって選択された送信及び受信の少なくともいずれか一方を実行するように制御する、
ようにしたことを特徴とする請求項１記載の通信端末装置。
【請求項５】
前記外部装置側に記憶されているデータと当該通信端末装置側に記憶されているデータとを比較するデータ比較手段と、
このデータ比較手段による比較結果に基づいて、通信対象のデータを選択する選択手段と、
を更に備え、
前記通信制御手段は、前記選択手段によって選択されたデータの通信を実行するように制御する、
ようにしたことを特徴とする請求項１記載の通信端末装置。
【請求項６】
前記接触検出手段によって接触が検出された人体から生体情報を取得する取得手段を更に備え、
前記通信制御手段は、前記取得手段によって取得された生体情報と特定の生体情報とを比較した結果、両者が特徴的に合致するか否かに応じて通信を実行するように制御する、
ようにしたことを特徴とする請求項１記載の通信端末装置。
【請求項７】
当該通信端末装置の使用状況を判別する使用状況判別手段を更に備え、
前記通信制御手段は、前記判別手段によって判別された使用状況が特定の使用状況の場合に、通信を実行するように制御する、
ようにしたことを特徴とする請求項１記載の通信端末装置。
【請求項８】
前記使用状況判別手段は、使用状況として、筐体の使用状況を示すスタイルを判別する、
ようにしたことを特徴とする請求項７記載の通信端末装置。
【請求項９】
前記使用状況判別手段は、使用状況として、充電中か否かを判別する、
ようにしたことを特徴とする請求項７記載の通信端末装置。
【請求項１０】
前記使用状況判別手段は、使用状況として、設置台に設置されているか否かを判別する、
ようにしたことを特徴とする請求項７記載の通信端末装置。
【請求項１１】
前記使用状況判別手段は、使用状況として、所定の機能が動作中か否かを判別する、
ようにしたことを特徴とする請求項７記載の通信端末装置。
【請求項１２】
前記使用状況判別手段は、使用状況として、人体の接触を検出した後、一定期間操作が無いか否かを判別する、
ようにしたことを特徴とする請求項７記載の通信端末装置。
【請求項１３】
前記使用状況判別手段は、使用状況として、現在時刻及び現在位置の少なくともいずれか一方を判別する、
ようにしたことを特徴とする請求項７記載の通信端末装置。
【請求項１４】
前記接触状況判別手段は、人体の接触状況として、人体の接触部位を判別する、
ようにしたことを特徴とする請求項１記載の通信端末装置。
【請求項１５】
前記接触状況判別手段は、人体の接触状況として、人体の接触回数を判別する、
ようにしたことを特徴とする請求項１記載の通信端末装置。
【請求項１６】
前記接触状況判別手段は、人体の接触状況として、人体の接触時間を判別する、
ようにしたことを特徴とする請求項１記載の通信端末装置。
【請求項１７】
前記接触状況判別手段は、人体の接触状況として、人体が接触した当該通信端末装置の部位を判別する、
ようにしたことを特徴とする請求項１記載の通信端末装置。
【請求項１８】
前記通信手段は、無線ＬＡＮ通信、近距離無線通信、人体接触通信のうち少なくともいずれか１つである、
ことを特徴とする請求項１記載の通信端末装置。
【請求項１９】
コンピュータに対して、
人体の接触が検出されている状態での接触状況を判別する機能と、
前記判別された接触状況に基づいて、所定の通信開始条件が満たされるか否かを判別する機能と、
前記判別結果に基づいて、外部装置との間で行われる通信手段による通信を制御する機能と、
を実現させるためのプログラム。
【発明の詳細な説明】
【技術分野】
【０００１】
本発明は、外部装置との間で通信を行う通信手段を有する通信端末装置及びプログラムに関する。
【背景技術】
【０００２】
従来、携帯電話機などの通信端末装置が外部装置に対して情報を送信するようにした技術が知られている。例えば、管理者から使用者に対して貸与される機器と使用者に装着されている通信機器との間で人体を伝送路としてデータ通信を行うようにした技術が開示されている（特許文献１参照）。この技術にあっては、機器を手渡す際（貸与や返却時）に、この機器に設けられているタッチ電極に人体が触れると、通信機器が正当な機器であることを条件に、データ通信を行うようにしたものである。
【先行技術文献】
【特許文献】
【０００３】
【特許文献１】特開２００７−１４１０９４号公報
【発明の概要】
【発明が解決しようとする課題】
【０００４】
しかしながら、上述した先行技術では、機器を手渡すだけで（タッチ電極に人体が触れるだけで）、通信が開始されてしまうため、使用者が意図しない場合でも通信が始まってしまうという課題がある。この際、通信機器が正当な機器であるか否かを両機器の識別情報の関係に基づいて判別するようにしているが、正当な通信機器を装着している使用者が、正当な機器に接触するだけで通信が始まってしまうことに変わりはない。
【０００５】
本発明の課題は、外部装置との間で行われる通信を適切に制御できるようにすることである。
【課題を解決するための手段】
【０００６】
上述した課題を解決するために請求項１記載の発明は、外部装置との間で通信を行う通信手段を有する通信端末装置であって、人体の接触を検出する接触検出手段と、この接触検出手段によって人体の接触が検出されている状態での接触状況を判別する接触状況判別手段と、この接触状況判別手段によって判別された接触状況に基づいて、所定の通信開始条件が満たされるか否かを判別する条件判別手段と、この条件判別手段による判別結果に基づいて、前記外部装置との間で行われる前記通信手段による通信を制御する通信制御手段と、を具備したことを特徴とする。
【０００７】
請求項１に従属する発明として、人体に装着されている外部装置を前記外部装置として特定する特定手段を更に備え、前記通信制御手段は、前記特定手段によって特定された前記外部装置との間で行われる前記通信手段による通信を制御する、ようにしたことを特徴とする請求項２記載の発明であってもよい。
【０００８】
請求項１に従属する発明として、前記接触状況判別手段によって判別された接触状況に基づいて、通信対象のデータを選択する選択手段を更に備え、前記通信制御手段は、前記選択手段によって選択されたデータの通信を実行するように制御する、ようにしたことを特徴とする請求項３記載の発明であってもよい。
【０００９】
請求項１に従属する発明として、前記接触状況判別手段によって判別された接触状況に基づいて、送信及び受信の少なくともいずれか一方を選択する選択手段を更に備え、前記通信制御手段は、前記選択手段によって選択された送信及び受信の少なくともいずれか一方を実行するように制御する、ようにしたことを特徴とする請求項４記載の発明であってもよい。
【００１０】
請求項１に従属する発明として、前記外部装置側に記憶されているデータと当該通信端末装置側に記憶されているデータとを比較するデータ比較手段と、このデータ比較手段による比較結果に基づいて、通信対象のデータを選択する選択手段と、を更に備え、前記通信制御手段は、前記選択手段によって選択されたデータの通信を実行するように制御する、ようにしたことを特徴とする請求項５記載の発明であってもよい。
【００１１】
請求項１に従属する発明として、前記接触検出手段によって接触が検出された人体から生体情報を取得する取得手段を更に備え、前記通信制御手段は、前記取得手段によって取得された生体情報と特定の生体情報とを比較した結果、両者が特徴的に合致するか否かに応じて通信を実行するように制御する、ようにしたことを特徴とする請求項６記載の発明であってもよい。
【００１２】
請求項１に従属する発明として、当該通信端末装置の使用状況を判別する使用状況判別手段を更に備え、前記通信制御手段は、前記判別手段によって判別された使用状況が特定の使用状況の場合に、通信を実行するように制御する、ようにしたことを特徴とする請求項７記載の発明であってもよい。
【００１３】
請求項７に従属する発明として、前記使用状況判別手段は、使用状況として、筐体の使用状況を示すスタイルを判別する、ようにしたことを特徴とする請求項８記載の発明であってもよい。
【００１４】
請求項７に従属する発明として、前記使用状況判別手段は、使用状況として、充電中か否かを判別する、ようにしたことを特徴とする請求項９記載の発明であってもよい。
【００１５】
請求項７に従属する発明として、前記使用状況判別手段は、使用状況として、設置台に設置されているか否かを判別する、ようにしたことを特徴とする請求項１０記載の発明であってもよい。
【００１６】
請求項７に従属する発明として、前記使用状況判別手段は、使用状況として、所定の機能が動作中か否かを判別する、ようにしたことを特徴とする請求項１１記載の発明であってもよい。
【００１７】
請求項７に従属する発明として、前記使用状況判別手段は、使用状況として、人体の接触を検出した後、一定期間操作が無いか否かを判別する、ようにしたことを特徴とする請求項１２記載の発明であってもよい。
【００１８】
請求項７に従属する発明として、前記使用状況判別手段は、使用状況として、現在時刻及び現在位置の少なくともいずれか一方を判別する、ようにしたことを特徴とする請求項１３記載の発明であってもよい。
【００１９】
請求項１に従属する発明として、前記接触状況判別手段は、人体の接触状況として、人体の接触部位を判別する、ようにしたことを特徴とする請求項１４記載の発明であってもよい。
【００２０】
請求項１に従属する発明として、前記接触状況判別手段は、人体の接触状況として、人体の接触回数を判別する、ようにしたことを特徴とする請求項１５記載の発明であってもよい。
【００２１】
請求項１に従属する発明として、前記接触状況判別手段は、人体の接触状況として、人体の接触時間を判別する、ようにしたことを特徴とする請求項１６記載の発明であってもよい。
【００２２】
請求項１に従属する発明として、前記接触状況判別手段は、人体の接触状況として、人体が接触した当該通信端末装置の部位を判別する、ようにしたことを特徴とする請求項１７記載の発明であってもよい。
【００２３】
請求項１に従属する発明として、前記通信手段は、無線ＬＡＮ通信、近距離無線通信、人体接触通信のうち少なくともいずれか１つである、ことを特徴とする請求項１８記載の発明であってもよい。
【００２４】
また、上述した課題を解決するために請求項１９記載の発明は、コンピュータに対して、人体の接触が検出されている状態での接触状況を判別する機能と、前記判別された接触状況に基づいて、所定の通信開始条件が満たされるか否かを判別する機能と、前記判別結果に基づいて、外部装置との間で行われる通信手段による通信を制御する機能と、を実現させるためのプログラムを特徴とする。
【発明の効果】
【００２５】
本発明によれば、外部装置との間で行われる通信を適切に制御することができ、実用性に富んだ通信端末装置を提供することが可能となる。
【図面の簡単な説明】
【００２６】
【図１】通信端末装置として適用した携帯電話機が利用可能な通信ネットワークシステムを示したブロック図。
【図２】携帯電話機１の基本的な構成要素を示したブロック図。
【図３】（１）は、操作部筐体１Ａと表示部筐体１Ｂとの折り畳みを開いた状態のオープンスタイルを示した図、（２）は、操作部筐体１Ａと表示部筐体１Ｂとの折り畳みを閉じた状態のクローズスタイルを示した図。
【図４】通信開始条件記憶部Ｍ３を説明するための図。
【図５】使用状況条件記憶部Ｍ４を説明するための図。
【図６】データ選択条件記憶部Ｍ５を説明するための図。
【図７】指紋情報記憶部Ｍ６を説明するための図。
【図８】データ記憶部Ｍ７を説明するための図。
【図９】携帯電話機１の全体動作の概要を示したフローチャート。
【図１０】通信処理（図９のステップＡ６）を詳述するためのフローチャート。
【図１１】通信開始判別処理（図１０のステップＢ３）を詳述するためのフローチャート
【図１２】使用状況判別処理（図１０のステップＢ５）を詳述するためのフローチャート。
【図１３】図１２に続く動作を示したフローチャート。
【図１４】ユーザ認証処理（図１０のステップＢ７）を詳述するためのフローチャート。
【図１５】データ選択処理（図１０のステップＢ９）を詳述するためのフローチャート。
【図１６】第２実施形態を示した図で、送信受信選択条件記憶部Ｍ８を説明するための図。
【図１７】第２実施形態の通信処理（図９のステップＡ６）を詳述するためのフローチャート。
【図１８】第２実施形態において、送信受信選択処理（図１７のステップＧ５）を詳述するためのフローチャート。
【図１９】第２実施形態において、通信実行処理（図１７のステップＧ６）を詳述するためのフローチャート。
【発明を実施するための形態】
【００２７】
（実施形態１）
以下、図１〜図１５を参照して本発明の第１実施形態を説明する。
本実施形態は、通信端末装置として携帯電話機に適用した場合を例示したもので、図１は、この携帯電話機が利用可能な通信ネットワークシステムを示したブロック図である。
携帯電話機１は、例えば、２つの筐体（操作部筐体、表示部筐体）が開閉可能に取り付けられた折り畳み自在なもので、この折り畳みタイプの携帯電話機１には音声通話機能、電子メール機能、インターネット接続機能（Ｗｅｂアクセス機能）、人体接触通信機能、近距離通信機能などが備えられている。
【００２８】
この人体接触通信機能、近距離通信機能は、外部装置（この実施形態では通信機能付き腕時計）２との間で人体接触通信、近距離通信を行うものであるが、携帯電話機１と腕時計２との通信は、人体接触通信、近距離通信に限らず、例えば、図示省略したが、ホームネットワーク、会社ネットワークなどのように、中継器を介して無線ＬＡＮ（ローカルエリアネットワーク）通信を行うものであってもよい。すなわち、携帯電話機１と腕時計２との間でのデータ通信は、無線ＬＡＮ通信、人体接触通信、近距離通信のいずれかによるデータ通信で実行可能となっている。また、携帯電話機１、腕時計２は、アドレス帳データ、スケジュールデータなどの同一のデータをそれぞれ記憶可能なもので、携帯電話機１と腕時計２との間でのデータ通信によってアドレス帳データ、スケジュールデータなどのデータをシンクロナイズ（整合）させることが可能となっている。
【００２９】
携帯電話機１は、最寄りの基地局３Ａ、交換機３Ｂから無線通信網（移動体通信網）３に接続されると、この無線通信網３を介して他の携帯電話機（図示省略）との間で通話可能な状態となる。また、携帯電話機１は、無線通信網３を介してインターネット４に接続されると、電子メールの送受信が可能となったり、Ｗｅｂサイトをアクセスして閲覧可能となったり、また、コンテンツ配信装置５から配信される画像、音楽などの各種のデータをインターネット４、無線通信網３を介してダウンロードが可能となったりする。また、携帯電話機１は、ＧＰＳ（Global Positioning System）衛星６からのＧＰＳ情報（位置情報）を受信して現在位置を取得することが可能となっている。
【００３０】
一方、携帯電話機１は、その二次電池（図示省略）への充電時に、充電ケーブル７に直接接続されたり、充電台８を介して充電ケーブル７に接続されたりすると、二次電池（図示省略）への充電が開始されるが、その際、携帯電話機１は、充電ケーブル７又は充電台８に接続されたことを検出するようにしている。充電台８は、充電ケーブル７を介してＡＣ電源（商用電源）に接続されるもので、充電機能及びデータ通信機能を備えたクレードルであり、携帯電話機１が設置（接続）された際に、携帯電話機１側の二次電池（図示省略）に対して充電を行ったり、携帯電話機１との間でデータ通信を行ったりする。
【００３１】
図２は、携帯電話機１の基本的な構成要素を示したブロック図である。
中央制御部１１は、二次電池（図示省略）を備えた電池部１２からの電力供給によって動作し、記憶部１３内の各種のプログラムに応じてこの携帯電話機１の全体動作を制御する中央演算処理装置やメモリ（図示省略）などを有している。記憶部１３には、プログラム記憶部Ｍ１、各種情報一時記憶部Ｍ２、通信開始条件記憶部Ｍ３、使用状況条件記憶部Ｍ４、データ選択条件記憶部Ｍ５、指紋情報記憶部Ｍ６、データ記憶部Ｍ７などが設けられている。なお、記憶部１３は、例えば、ＳＤカード、ＩＣカードなど、着脱自在な可搬型メモリ（記録メディア）を含む構成であってもよく、図示しない所定の外部サーバ上にあってもよい。
【００３２】
プログラム記憶部Ｍ１は、図９〜図１５に示した動作手順に応じて本実施形態を実現するためのプログラムや各種のアプリケーションなどが格納されているほか、それに必要とする情報などが記憶されている。各種情報一時記憶部Ｍ２は、フラグ情報、タイマ情報、画面情報など、携帯電話機１が動作するために必要な各種の情報を一時的に記憶するワーク領域である。なお、通信開始条件記憶部Ｍ３、使用状況条件記憶部Ｍ４、データ選択条件記憶部Ｍ５、指紋情報記憶部Ｍ６、データ記憶部Ｍ７については後で詳述するものとする。
【００３３】
無線通信部１４は、図示しない無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１５を介して通話用スピーカＳＰから音声出力させ、また、通話用マイクＭＣからの入力音声データを音声信号処理部１５から取り込み、送信ベースバンド信号に符号化したのち、ベースバンド部の送信側に与えてアンテナＡＴ１から発信出力させる。また、上述した無線ＬＡＮ通信も無線通信部１４を介して行われる。ＧＰＳ受信部１６は、ＧＰＳ（Global Positioning System）衛星７からのＧＰＳ情報を、アンテナＡＴ２を介して受信するもので、中央制御部１１は、このＧＰＳ情報に基づいて携帯電話機１の現在位置を取得する。
【００３４】
近距離通信部１７は、上述した近距離通信機能を構成する構成要素で、通常、一緒に携帯している携帯電話機１と腕時計２との間において非接触タイプのBluetooth（登録商標）による近距離通信を行うもので、その通信可能エリア内（例えば、半径５ｍ以内）で交信が行われる。また、携帯電話機１と腕時計２との間での交信時には互いの装置識別情報を送受信して通信相手を特定するようにしている。なお、近距離通信部１７は、Bluetooth（登録商標）通信に限らず、赤外線通信などを行う構成であってもよい。
【００３５】
接触通信部１８は、上述した人体接触通信機能を構成する構成要素で、携帯電話機１を構成する筐体の略全体には、図示しないが人体接触部（透明タッチセンサ部）が配設されており、この人体接触部に人体が接触すると、中央制御部１１は、その接触状況（後述する）を判別するほか、その接触部位から指紋情報を採取するようにしている。また、接触通信部１８は、人体の接触検出に応じて人体（誘電体）を通信媒体としてデータ通信を行うもので、衣服などの絶縁体を介した状態であっても通信可能とするために人体の静電気層に信号を与えて通信を行うようにした電界式を採用するようにしている。また、携帯電話機１と腕時計２との間での交信時には、互いの装置識別情報を送受信して通信相手を特定するようにしている。なお、接触通信部１８の通信方法は、電界式に限らず、電流式など任意の方式であってもよい。
【００３６】
この無線通信部１４、近距離通信部１７、接触通信部１８は、携帯電話機１と腕時計２との間で無線ＬＡＮ通信、人体接触通信、近距離通信のいずれかによるデータ通信を行うもので、後で詳述するが、中央制御部１１は、携帯電話機１を構成する筐体への人体の接触を検出すると、その接触状況（例えば、単位時間当たり接触回数、接触部位など）を判別するほか、携帯電話機１の現在の使用状況（例えば、常時、充電中、機能動作中、無操作状態など）を判別し、この接触状況及び使用状況に基づいて携帯電話機１と腕時計２との間で行われるデータ通信（無線ＬＡＮ通信、人体接触通信、近距離通信のいずれかによるデータ通信）を制御するようにしている。
【００３７】
例えば、携帯電話機１を構成する筐体に人体が１秒間に２回触れたことを検出すると、携帯電話機１と腕時計２との間でデータのシンクロナイズを行い、また、携帯電話機１への接触後、何も操作が行われない無操作状態が一定時間続いたことを検出すると、携帯電話機１と腕時計２との間でデータのシンクロナイズを行うなど、接触状況及び使用状況に基づいて携帯電話機１と腕時計２との間で行われるデータ通信を制御するようにしている。なお、無線ＬＡＮ通信、人体接触通信、近距離通信のいずれを使用するかをユーザ操作によって任意に設定可能としてもよい。また、無線ＬＡＮ通信、人体接触通信、近距離通信を予め決められた順序で選択してその通信を試行し、その結果、通信路が確立した場合にその通信を使用するようにしてもよい。
【００３８】
また、中央制御部１１は、携帯電話機１と腕時計２との間での通信時に、アドレス帳データ、スケジュールデータなどの各種データの中からどのデータを通信対象とするかを筐体への接触状況に応じて選択して通信するようにしている。また、アドレス帳データ、スケジュールデータなどの同一のデータを携帯電話機１側及び腕時計２側にそれぞれ記憶させて両者の間で当該データをシンクロナイズさせるために、携帯電話機１、腕時計２のどちらか一方にしか記憶されていないデータを通信候補のデータとして選択して通信を行うようにしている。
【００３９】
表示部１９は、高精細液晶を使用し、例えば、文字情報、待受画像などの表示情報を表示する。なお、表示部１９は携帯電話機１に備えられている表示部としたが、外部モニタなど、任意の外部表示装置であってもよい。操作部２０は、ダイヤル入力、文字入力、コマンド入力などを入力するもので、中央制御部１１は、この操作部２０からの入力操作信号に応じた処理を実行する。ＲＴＣ（リアルタイムクロックモジュール）２１は、時計部を構成するもので、中央制御部１１は、ＲＴＣ２１から現在日時を取得する。報知部２２は、サウンドスピーカ２２Ａ、ＬＥＤ（発光ダイオード）２２Ｂ、振動モータ２２Ｃを備え、着信時に駆動されて着信報知を行うほか、アラーム報知時などでも駆動される。
【００４０】
充電台接続部２３は、充電台８の接点と接続されるコネクタ部で、この充電台接続部２３を介して電池部２１の二次電池への充電が行われるが、中央制御部１１は、充電台接続部２３からの信号に基づいて充電台８に設置されているか否かの検出を行う。充電ケーブル接続部２４は、ＡＣ電源に接続された充電ケーブル７が直接接続されるコネクタ部であり、充電ケーブル接続部２４を介して電池部２１の二次電池への充電が行われるが、中央制御部１１は、充電ケーブル接続部２４から信号に基づいて充電ケーブル７に接続されているか否かの検出を行う。スタイル検出部２５は、筐体の使用状態を示すスタイルを検出するもので、例えば、筐体の各所に磁石と磁力センサを配置して、この磁力センサの検出結果に基づいてスタイルを検出する構成となっている。中央制御部１１は、このスタイル検出センサ２５からの検出信号に基づいて現在のスタイルを判別する。
【００４１】
図３は、携帯電話機１の外観図である。
携帯電話機１は、その機器本体（装置本体）を構成する操作部筐体１Ａと表示部筐体１Ｂとがヒンジ部１Ｃを介して折り畳み自在に連結されている折り畳み型の電話機である。図３（１）は、操作部筐体１Ａと表示部筐体１Ｂとの折り畳みを開いた状態のオープンスタイルを示した図で、操作部筐体１Ａの内面側には、操作部２０、通話用マイクＭＣが配置され、また、表示部筐体１Ｂの内面側には、表示部１９、通話用スピーカＳＰが配置されている。なお、図３では図示省略したが、操作部筐体１Ａの背面側には充電台接続部２３が配置され、操作部筐体１Ａの下端部には充電ケーブル接続部２４が配置されている。図３（２）は、操作部筐体１Ａと表示部筐体１Ｂとの折り畳みを閉じた状態のクローズスタイルを示している。なお、上述したように操作部筐体１Ａ、表示部筐体１Ｂ、ヒンジ部１Ｃの略全体にはタッチセンサ部（図示省略）が配置されている。
【００４２】
図４は、通信開始条件記憶部Ｍ３を説明するための図である。
通信開始条件記憶部Ｍ３は、携帯電話機１と腕時計２との間での通信を開始する条件として、携帯電話機１の筐体に対してどのような接触を行えば、通信が開始されるかを示す条件を複数記憶するもので、各通信開始条件は、「条件ＩＤ」、「項目」、「内容」、「設定フラグ」のフィールドを有している。「条件ＩＤ」は、通信開始条件を識別する情報（一連Ｎｏなど）である。「項目」は、筐体に対してどのような接触を行ったかの接触状況の種類を示し、“回数”、“時間”、“人体の部位”、“携帯電話機の部位”を有している。「内容」は、対応する「項目」の具体的な内容を示し、ユーザ操作によって任意に設定されたものである。
【００４３】
“回数”は、単位時間当たり筐体への接触回数を示し、図示の例ではその「内容」に“１秒間に２回以上”が設定されている。“時間”は、継続して接触している時間を示し、図示の例ではその「内容」に“３秒”が設定されている。“人体の部位”は、筐体を人体のどの部位で接触しているのかを示し、図示の例ではその「内容」に“指先”が設定されている。“携帯電話機の部位”は、携帯電話機１のどの部分が接触されているかを示し、図示の例ではその「内容」に“両側の側面”が設定されている。
【００４４】
「設定フラグ」は、上述した複数の通信開始条件のうち現在有効な条件はどれかを示し、ユーザ操作によって任意に設定されたもので、図示の例では、「設定フラグ」が“１”となっている“回数”が現在有効な条件であることを示している。なお、通信開始条件は、図示の例に限らず、任意であり、例えば、“人体の部位”なら右手親指と人差し指、右手、左手など、複数の条件の組み合わせであってもよく、その他、“回数”と“人体の部位”との組み合わせ、“時間”と“人体の部位”との組み合わせなどであってもよい。また、人体の部位を手の“指先”とする場合に限らず、“掌”など、任意の人体の部位であってもよい。
【００４５】
図５は、使用状況条件記憶部Ｍ４を説明するための図である。
使用状況条件記憶部Ｍ４は、上述した接触状況に応じた通信開始条件を満たす場合であっても、通信を開始させるためには、携帯電話機１がどのように使用されていなければならないのかの使用状況を示す条件を複数記憶するもので、各使用状況条件は、「条件ＩＤ」、「項目」、「内容」、「設定フラグ」のフィールドを有している。「条件ＩＤ」は、使用状況条件を識別する情報（一連Ｎｏなど）である。「項目」は、携帯電話機１の使用状況の種類を示し、“常時”、“スタイル”、“充電”、“設置”、“機能動作中”、“無操作”、“時間帯”、“位置”を有している。「内容」は、対応する「項目」の具体的な内容を示し、ユーザ操作によって任意に設定されたものである。
【００４６】
“常時”は、現在の使用状況に関わらず、どのような使用状況であっても通信開始条件を満すだけで、通信を開始させることを示している。“スタイル”は、スタイル検出部２５によって検出された筐体のスタイルは何かを示し、図示の例ではその「内容」に“クローズスタイル”が設定されている。“充電”は、充電ケーブル７に直接接続されたり、充電台８を介して充電ケーブル７に接続されたりしている状態において、充電台接続部２３又は充電ケーブル接続部２４によって電池部１２が充電されているか否を示し、図示の例ではその「内容」に“充電中”が設定されている。“設置”は、充電台８に設置されているかを示し、図示の例ではその「内容」に“充電台に設置中”が設定されている。
【００４７】
“機能動作中”は、所定機能（アプリケーション）が動作中かを示し、図示の例ではその「内容」に“アドレス帳動作”が設定されている。“無操作”は、人体接触の検出後にどれ位の時間、操作が無かったかを示し、図示の例ではその「内容」に“３秒以上”が設定されている。“時間帯”は、現在の時間帯は何かを示し、図示の例ではその「内容」に“６：００−８：００”又は“２０：００−２４：００”が設定されている。“位置”は、現在の位置はどこかを示す位置情報で、図示の例ではその「内容」に“自宅周辺の位置情報”が設定されている。なお、使用状況条件は、図示の例に限らず、任意であり、例えば、複数の使用状況条件の組み合わせであってもよい。「設定フラグ」は、上述した複数の使用状況条件のうち現在有効な条件はどれかを示し、ユーザ操作によって任意に設定されたもので、図示の例では、「設定フラグ」が“１”となっている“常時”が現在有効な条件であることを示している。
【００４８】
図６は、データ選択条件記憶部Ｍ５を説明するための図である。
データ選択条件記憶部Ｍ５は、通信候補となるデータを筐体への接触状況に応じて選択するための条件を記憶するもので、各データ選択条件は、「条件ＩＤ」、「項目」、「内容」、「設定フラグ」のフィールドを有している。「条件ＩＤ」は、データ選択条件を識別する情報（一連Ｎｏなど）である。「項目」は、データ選択条件の種類を示し、“全データ選択”、“一部データ選択”を有している。“全データ選択”は、接触状況に関わらず、全てのデータ（アドレス帳データ、スケジュールデータ、音楽・画像データ）を通信候補のデータとすることを示している。
【００４９】
“一部データ選択”は、全てのデータの中からその一部のデータを筐体への接触状況に応じて通信候補のデータとして選択することを示している。「内容」は、対応する「項目」の具体的な内容を示し、ユーザ操作によって任意に設定されたものである。図示の例では“一部データ選択”に対応する「内容」として、“右手人差し指で１秒間に２回”の接触では、“アドレス帳データ”を通信候補のデータとして選択すべきことを示している。また、“右手中指”の接触では、“スケジュールデータ”を通信候補のデータとして選択すべきことを示し、“右手親指と人差し指で１秒間に３回”の接触では、“音楽・画像データ”を通信候補のデータとして選択すべきことを示している。
【００５０】
なお、“一部データ選択”に設定されている接触状況のいずれにも該当しない場合には、上述した“全データ選択”と同様に全てのデータが通信候補のデータとして選択される。なお、図示の例は、接触状況として、“人体の部位”又は“回数”と“人体の部位”との組み合わせを示したが、“時間”、“携帯電話機への部位”であってもよく、それらの組み合わせであってもよい。「設定フラグ」は、上述した複数のデータ選択条件のうち現在有効な条件はどれかを示し、ユーザ操作によって任意に設定されたもので、図示の例では、「設定フラグ」が“１”となっている“常時”が現在有効な条件であることを示している。
【００５１】
図７は、指紋情報記憶部Ｍ６を説明するための図である。
指紋情報記憶部Ｍ６は、筐体への接触状況の通信開始条件が“人体の部位”の場合に、どの指が接触したのかを判別したり、同時に正当なユーザを認証したりするために使用されるもので、ユーザの生体情報として両手の各指の指紋情報が記憶される。各指紋情報は、「指紋ＩＤ」、「項目」、「実データ」のフィールドを有し、「指紋ＩＤ」は、指紋情報を識別する情報（一連Ｎｏなど）である。
【００５２】
「項目」は、指紋情報の種類を示し、右手の５本指と左手の５本の指に対応付けて「実データ」には、指紋データとして指紋中心点、分岐点、端点、三角州などが記憶されている。なお、「実データ」は、任意に設定されたもので、中央制御部１１は、接触している人体から採取した指紋パターンを解析してその指紋中心点、分岐点、端点、三角州などの指紋情報を求め、この指紋情報と各「実データ」とを比較して特徴的に一致する「実データ」の有無を調べ、該当する「実データ」が有れば、それに対応する「項目」の指で接触されたことを認識したり、正当なユーザによる接触であることを認証したりするようにしている。なお、「実データ」は、指紋中心点、分岐点、端点、三角州などに限らず、指紋パターンデータであってもよい。
【００５３】
図８は、データ記憶部Ｍ７を説明するための図である。
データ記憶部Ｍ７は、携帯電話機１と腕時計２との間で通信するデータを記憶するもので、各データは、「データＩＤ」、「固有ＩＤ」、「実データ」のフィールドを有している。「データＩＤ」は、データを識別する情報（一連Ｎｏなど）である。「固有ＩＤ」は、携帯電話機１と腕時計２の両方で利用されるデータを識別するための識別情報であり、同じデータに対しては、携帯電話機１でも腕時計２でも同じ「固有ＩＤ」を付加されている。この「固有ＩＤ」を参照することで、中央制御部１１は、携帯電話機１及び腕時計２のどちらか一方しか記憶されていないデータであるかを判別することが可能となる。なお、入力されたデータや受信したデータを新規に記憶する際に、中央制御部１１は、そのデータに「固有ＩＤ」が付加されていれば、その「固有ＩＤ」をデータ記憶部Ｍ７に記憶させ、「固有ＩＤ」が付加されていなければ、新しい「固有ＩＤ」を割り振ってデータ記憶部Ｍ７に記憶させるようにしている。
【００５４】
「実データ」は、アドレス帳データ、スケジュールデータ、音楽・画像データなどのデータである。なお、「実データ」がアドレス帳データであれば、それを構成する複数の項目として“名前”、“電話番号”、“メールアドレス”などが記憶され、画像データであれば、それを構成する複数の項目として“タイトル”、“実画像”などから記憶される。また、データは、アドレス帳データ、スケジュールデータ、音楽・画像データに限らず、メールデータ、メモ、タスクリストなどであってもよい。
【００５５】
次に、この第１実施形態における携帯電話機１の動作概念を図９〜図１５に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００５６】
図９は、携帯電話機１の全体動作の概要を示したフローチャートである。
先ず、中央制御部１１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。その後、操作待ちや受信待ちなどの待ち受け状態となる。ここで、任意の情報を設定する設定操作が行われた場合には（ステップＡ３でＹＥＳ）、その操作に対応する設定処理として、例えば、通信開始条件、使用状況条件、データ選択条件を入力して、対応する通信開始条件記憶部Ｍ３、使用状況条件記憶部Ｍ４、データ選択条件記憶部Ｍ５に設定したり、指紋情報を入力して指紋情報記憶部Ｍ６に記憶させたり、データを入力やダウンロードしてデータ記憶部Ｍ７に記憶させたりする設定処理を行ったのち（ステップＡ４）、上述のステップＡ３に戻る。
【００５７】
待ち受け状態において筐体への人体接触を検出すると（ステップ５でＹＥＳ）、携帯電話機１と腕時計２との間で行われる通信処理に移る（ステップＡ６）。この通信処理は、後で詳述するが、筐体への人体接触の検出に応じてその接触状況を判別すると共に、携帯電話機１の現在の使用状況を判別し、この接触状況及び使用状況に基づいて携帯電話機１と腕時計２との間でのデータ通信を制御するもので、通信対象として選択したアドレス帳データ、スケジュールデータなどを送受信する処理である。このような通信処理が終わると、上述のステップ３に戻る。
【００５８】
待ち受け状態において充電台接続部２３によって充電台８に設置されたこと又は充電台８から外されたことが検出されたり、充電ケーブル接続部２４によって充電ケーブル７に接続されたこと又は充電ケーブル７から外されたことが検出されたりすると（ステップＡ７でＹＥＳ）、それに応じて充電を開始させたり、充電を終了させたりする（ステップＡ８）。また、電話着信を検出すると（ステップＡ９でＹＥＳ）、通話可能な状態とする通話処理に移る（ステップＡ１０）。また、電源オフ操作が行われると（ステップＡ１１でＹＥＳ）、電源オフ処理に移り（ステップＡ１２）、その他の操作が行われると（ステップＡ１３でＹＥＳ）、例えば、発信処理、データダウンロード処理など、その他の操作に応じた処理に移る（ステップＡ１４）。その後、上述のステップＡ３に戻る。
【００５９】
図１０は、通信処理（図９のステップＡ６）を詳述するためのフローチャートである。
先ず、中央制御部１１は、筐体への人体接触を検出すると、その接触状況を判別する（ステップＢ１）。なお、この判別処理では、接触状況としての“回数”、“時間”、“人体の部位”、“携帯電話機の部位”の全ての要素を判別するようにしてもよいが、この第１実施形態の判別処理では、通信開始条件記憶部Ｍ３を参照し、その「設定フラグ」が“１”の接触状況のみを判別するようにしている。また、“人体の部位”の接触状況を判別する際には、人体を接触した指の指紋情報を取得して指紋情報記憶部Ｍ６を参照し、どの指の指紋情報であるか（接触した指はどれか）を併せて判別するようにしている。これによって判別した人体の接触状況を一時記憶したのち（ステップＢ２）、通信開始条件記憶部Ｍ３を参照しながら通信開始条件を満たす接触状況であるか否かを判別する通信開始判別処理に移る（ステップＢ３）。
【００６０】
図１１は、通信開始判別処理（図１０のステップＢ３）を詳述するためのフローチャートである。
先ず、中央制御部１１は、図１０のステップＢ２で一時記憶させた接触状況を読み出すと共に（ステップＣ１）、通信開始条件記憶部Ｍ３を参照し、「設定フラグ」が“１”の通信開始条件を読み出し（ステップＣ２）、通信開始条件は“回数”であるか（ステップＣ３）、“時間”であるか（ステップＣ４）、“人体の部位”であるか“携帯電話機の部位”であるかを調べる（ステップＣ５）。いま、“回数”であれば（ステップＣ３でＹＥＳ）、この接触状況（回数）はその「内容」の“１秒間に２回以上”を満たすかを調べる（ステップＣ６）。
【００６１】
いま、接触状況（回数）がその「内容」を満たせば（ステップＣ６でＹＥＳ）、“通信開始する”と判別するが（ステップＣ７）、満たさなければ（ステップＣ６でＮＯ）、“通信開始しない”と判別する（ステップＣ８）。「設定フラグ」が“１”の通信開始条件が“時間”であれば（ステップＣ４でＹＥＳ）、接触状況（時間）はその「内容」の“３秒”を満たすかを調べ（ステップＣ９）、「内容」を満たせば（ステップＣ９でＹＥＳ）、“通信開始する”と判別するが（ステップＣ７）、満たさなければ（ステップＣ９でＮＯ）、“通信開始しない”と判別する（ステップＣ８）。
【００６２】
同様に、「設定フラグ」が“１”の通信開始条件が“人体の部位”であれば（ステップＣ５でＹＥＳ）、接触状況（人体の部位）はその「内容」の“指先”を満たすかを調べ（ステップＣ１０）、「内容」を満たせば（ステップＣ１０でＹＥＳ）、“通信開始する”と判別するが（ステップＣ７）、満たさなければ（ステップＣ１０でＮＯ）、“通信開始しない”と判別する（ステップＣ８）。また、「設定フラグ」が“１”の通信開始条件が“携帯電話機の部位”であれば（ステップＣ５でＮＯ）、接触状況（携帯電話機の部位）はその「内容」の“両側の側面”を満たすかを調べ（ステップＣ１１）、「内容」を満たせば（ステップＣ１１でＹＥＳ）、“通信開始する”と判別するが（ステップＣ７）、満たさなければ（ステップＣ１１でＮＯ）、“通信開始しない”と判別する（ステップＣ８）。
【００６３】
このようにして通信開始判別処理（図１０のステップＢ３）が終了すると、その判別結果は、“通信開始する”であるかを調べ（ステップＢ４）、“通信開始しない”と判別したときには（ステップＢ４でＮＯ）、この時点で図１０の通信処理の終了となるが、“通信開始する”と判別したときには（ステップＢ４でＹＥＳ）、使用状況条件記憶部Ｍ４を参照しながら携帯電話機１の使用状況を判別する使用状況判別処理に移る（ステップＢ５）。
【００６４】
図１２及び図１３は、使用状況判別処理（図１０のステップＢ５）を詳述するためのフローチャートである。
先ず、中央制御部１１は、「設定フラグ」が“１”の使用状況条件を読み出し（ステップＤ１）、この使用状況条件が“常時”であれば（ステップＤ２でＹＥＳ）、“通信開始する”と判別する（ステップＤ３）。また、「設定フラグ」が“１”の使用状況条件が“スタイル”であれば（ステップＤ４でＹＥＳ）、スタイル検出部２５によって検出された現在のスタイルを判別し（ステップＤ５）、このスタイルがその「内容」の“クローズスタイル”を満たすかを調べ（ステップＤ６）、「内容」を満たせば（ステップＤ６でＹＥＳ）、“通信開始する”と判別するが（ステップＤ７）、満たさなければ（ステップＤ６でＮＯ）、“通信開始しない”と判別する（ステップＤ８）。
【００６５】
「設定フラグ」が“１”の使用状況条件が“充電”であれば（ステップＤ９でＹＥＳ）、充電台接続部２３又は充電ケーブル接続部２４の検出結果に基づいて充電中か否かを判別し（ステップＤ１０）、この充電状況がその「内容」の“充電中”を満たすかを調べ（ステップＤ１１）、「内容」を満たせば（ステップＤ１１でＹＥＳ）、“通信開始する”と判別するが（ステップＤ７）、満たさなければ（ステップＤ１１でＮＯ）、“通信開始しない”と判別する（ステップＤ８）。また、「設定フラグ」が“１”の使用状況条件が“設置”であれば（ステップＤ１２でＹＥＳ）、充電台接続部２３の検出結果に基づいて充電台８に設置中か否かを判別し（ステップＤ１３）、この設置状況がその「内容」の“充電台に設置中”を満たすかを調べ（ステップＤ１４）、「内容」を満たせば（ステップＤ１４でＹＥＳ）、“通信開始する”と判別するが（ステップＤ７）、満たさなければ（ステップＤ１４でＮＯ）、“通信開始しない”と判別する（ステップＤ８）。
【００６６】
同様に、「設定フラグ」が“１”の使用状況条件が“機能動作中”であれば（ステップＤ１５でＹＥＳ）、現在動作中の機能を判別する（ステップＤ１６）。この場合、何の機能も動作していないことをも含めて判別する。そして、機能の動作状況がその「内容」の“アドレス帳動作中”を満たすかを調べ（ステップＤ１７）、「内容」を満たせば（ステップＤ１７でＹＥＳ）、“通信開始する”と判別するが（ステップＤ７）、満たさなければ（ステップＤ１７でＮＯ）、“通信開始しない”と判別する（ステップＤ８）。
【００６７】
また、「設定フラグ」が“１”の使用状況条件が“無操作”であれば（図１３のステップＤ１８でＹＥＳ）、この無操作期間を判別する（ステップＤ１９）。この場合、人体接触を検出してからどれ位の時間、操作が無かったのかを計時し、この無操作状況がその「内容」の“３秒以上”を満たすかを調べ（ステップＤ２０）、「内容」を満たせば（ステップＤ２０でＹＥＳ）、“通信開始する”と判別するが（図１２のステップＤ７）、満たさなければ（ステップＤ８でＮＯ）、“通信開始しない”と判別する（図１２のステップＤ８）。
【００６８】
「設定フラグ」が“１”の使用状況条件が“時間帯”であれば（ステップＤ２１でＹＥＳ）、ＲＴＣ２１から取得した現在時刻を判別し（ステップＤ２２）、現在時刻がその「内容」の“６：００−８：００”又は“２０：００−２４：００”を満たすかを調べ（ステップＤ２３）、「内容」を満たせば（ステップＤ２３でＹＥＳ）、“通信開始する”と判別するが（図１２のステップＤ７）、満たさなければ（ステップＤ２３でＮＯ）、“通信開始しない”と判別する（図１２のステップＤ８）。また、「設定フラグ」が“１”の使用状況条件が“位置”であれば（ステップＤ２１でＮＯ）、ＧＰＳ受信部１６から取得した現在位置を判別し（ステップＤ２４）現在位置がその「内容」の“自宅周辺の位置情報”を満たすかを調べ（ステップＤ２５）、「内容」を満たせば（ステップＤ２５でＹＥＳ）、“通信開始する”と判別するが（図１２のステップＤ７）、満たさなければ（ステップＤ２５でＮＯ）、“通信開始しない”と判別する（図１２のステップＤ８）。
【００６９】
これによって使用状況判別処理（図１０のステップＢ５）が終了すると、その判別結果は、“通信開始する”であるかを調べ（ステップＢ６）、“通信開始しない”と判別したときには（ステップＢ６でＮＯ）、この時点で図１０の通信処理の終了となるが、“通信開始する”と判別したときには（ステップＢ６でＹＥＳ）、指紋情報記憶部Ｍ６を参照しながら正当なユーザであるかを判別するユーザ認証処理に移る（ステップＢ７）。
【００７０】
図１４は、ユーザ認証処理（図１０のステップＢ７）を詳述するためのフローチャートである。
先ず、中央制御部１１は、接触している人体からその指紋中心点、分岐点、端点、三角州などの指紋情報を取得する（ステップＥ１）。ここで、携帯電話機１の両側面を２本以上の指で挟み持たれている場合には、接触している２本以上の各指の指紋情報をそれぞれ取得する。そして、指紋情報記憶部Ｍ６から各指紋情報として「実データ」を読み出し（ステップＥ２）、人体から取得した１又は２以上の指紋情報と各「実データ」とを比較することによって（ステップＥ３）、特徴的に一致する「実データ」の有無を調べる（ステップＥ４）。ここで、少なくとも１本の指紋情報がいずれかの「実データ」に特徴的に一致していれば（ステップＥ４でＹＥＳ）、“正当なユーザである”と判別し（ステップＥ５）、いずれの指紋情報も特徴的に一致していなければ（ステップＥ４でＮＯ）、“正当なユーザでない”と判別する（ステップＥ６）。
【００７１】
これによってユーザ認証処理（図１０のステップＢ７）が終了すると、“正当なユーザである”と判別されたのかを調べ（ステップＢ８）、“正当なユーザでない”と判別したときには（ステップＢ８でＮＯ）、この時点で図１０の通信処理の終了となるが、“正当なユーザである”と判別したときには（ステップＢ８でＹＥＳ）、データ選択条件記憶部Ｍ５を参照しながら通信対象のデータを選択するデータ選択処理を実行する（ステップＢ９）。そして、このデータ選択処理によって選択されたデータを腕時計２に対して送信する通信実行処理に移る（ステップＢ１０）。
【００７２】
図１５は、データ選択処理（図１０のステップＢ９）を詳述するためのフローチャートである。
先ず、中央制御部１１は、データ選択条件記憶部Ｍ５を参照し、「設定フラグ」が“１”のデータ選択条件を読み出し（ステップＦ１）、それが“全データ選択”であれば（ステップＦ２でＹＥＳ）、人体の接触状況に関わらず、全てのデータ（アドレス帳データ、スケジュールデータ、音楽・画像データ）を通信候補（比較対象）のデータとする（ステップＦ３）。
【００７３】
また、「設定フラグ」が“１”のデータ選択条件が“一部データ選択”であれば（ステップＦ２でＮＯ）、上述した通信処理（図１０のステップＢ２）で一時記憶した接触状況を読み出すと共に（ステップＦ４）、データ選択条件記憶部Ｍ５から“一部データ選択”に対応する全ての「内容」を読み出し（ステップＦ５）、これらの「内容」の中から接触状況に該当する「内容」を通信候補（比較対象）のデータとする（ステップＦ６）。例えば、接触状況が“右手人差し指で１秒間に２回”であれば、“アドレス帳データ”を通信候補（比較対象）のデータとして選択する。
【００７４】
このようにして通信候補（比較対象）のデータを特定した後は、腕時計２との通信路を確立する（ステップＦ７）。なお、携帯電話機１は、人体接触通信を行う場合に人体を介して通信路を確立すべきことの要求を送信し、人体に接触している腕時計２は、その要求を受信した際にその応答を人体経由で送信し、携帯電話機１は、この応答を受信した際に、この腕時計２を通信対象の外部装置として特定することによって、それらの間での通信路を確立するようにしている。このようにして腕時計２との通信路を確立した後は、上述のようにして選択した比較対象データが腕時計２側に記憶されているかを調べるために、腕時計２側に比較対象データの「固有ＩＤ」を送信すべきことを腕時計２に対して要求し、この要求に応じて腕時計２からの「固有ＩＤ」を受信する（ステップＦ８）。
【００７５】
そして、携帯電話機１側に記憶されている比較対象データの「固有ＩＤ」をデータ記憶部Ｍ７から読み出し（ステップＦ９）、上述のように受信した腕時計２側の「固有ＩＤ」と、データ記憶部Ｍ７から読み出した携帯電話機１側の「固有ＩＤ」との比較を行う（ステップＦ１０）。その結果、携帯電話機１側に記憶されているが、腕時計２側には記憶されていないデータを送信対象データとして選択し（ステップＦ１１）、逆に、携帯電話機１側に記憶されていないが、腕時計２側には記憶されているデータを受信対象データとして選択する（ステップＦ１２）。
【００７６】
これによってデータ選択処理が終了すると（図１０のステップＢ９）、通信実行処理（ステップＢ１０）に移る。ここで、上述のようにして選択された送信対象データを腕時計２に送信して腕時計２側に記憶させる。逆に、データ選択処理によって選択された受信対象データの送信要求を腕時計２に対して行い、この要求に応じて腕時計２から送信されたデータを受信してデータ記憶部Ｍ７に記憶させる。この携帯電話機１と腕時計２との間では、無線ＬＡＮ通信、人体接触通信、近距離通信のいずれかによるデータ通信が行われる。
【００７７】
以上のように、第１実施形態において携帯電話機１は、人体の接触を検出した際にその人体の接触状況に基づいて所定の通信開始条件が満たされるか否かを判別し、この判別結果に基づいて外部装置としての腕時計２の間で行われる通信を制御するようにしたので、腕時計２との間で行われる通信を適切に制御することができ、実用性に富んだ携帯電話機１を提供することが可能となる。
【００７８】
人体に装着されている外部装置としての腕時計２を特定し、この腕時計２との間で行われる通信を制御するようにしたので、多くの外部装置が存在していても所定の外部装置との通信が可能となる。
【００７９】
人体の接触状況に基づいて通信対象のデータを選択して通信を行うようにしたので、腕時計２との間で行われる通信を人体の接触状況に応じて適切に制御することができる。
【００８０】
腕時計２側に記憶されているデータと携帯電話機１側に記憶されているデータとの比較結果に基づいて通信対象のデータを選択して通信を行うようにしたので、例えば、どちらか一方にしか記憶されていないデータを選択して通信することができ、携帯電話機１と腕時計２との間でデータのシンクロナイズが可能となる。
【００８１】
人体から生体情報として指紋情報を取得し、この取得した指紋情報と指紋情報記憶部Ｍ６の内容とを比較した結果、その両方が特徴的に合致するか否かに応じて通信を行うようにしたので、腕時計２との間で行われる通信を人体から取得した指紋情報に応じて適切に制御することができる。
【００８２】
携帯電話機１の使用状況が特定の使用状況の場合に通信を行うようにしたので、携帯電話機１との間で行われる通信を人体の接触状況と携帯電話機１の使用状況とに応じて適切に制御することができる。
【００８３】
携帯電話機１の使用状況として、筐体の使用状況を示すスタイルを判別するようにしたので、腕時計２との間で行われる通信を人体の接触状況とスタイルとに応じて適切に制御することができる。
【００８４】
携帯電話機１の使用状況として、充電中か否かを判別するようにしたので、腕時計２との間で行われる通信を人体の接触状況と充電中か否かに応じて適切に制御することができる。
【００８５】
携帯電話機１の使用状況として、設置台としての充電台８に設置されているか否かを判別するようにしたので、腕時計２との間で行われる通信を人体の接触状況と設置中か否かに応じて適切に制御することができる。
【００８６】
携帯電話機１の使用状況として、所定の機能が動作中か否かを判別するようにしたので、腕時計２との間で行われる通信を人体の接触状況と所定の機能が動作中か否かに応じて適切に制御することができる。
【００８７】
携帯電話機１の使用状況として、人体の接触を検出した後、一定期間操作が無いか否かを判別するようにしたので、腕時計２との間で行われる通信を人体の接触状況と無操作状態に応じて適切に制御することができる。
【００８８】
携帯電話機１の使用状況として、現在時刻、現在位置を判別するようにしたので、腕時計２との間で行われる通信を人体の接触状況と現在時刻や現在位置に応じて適切に制御することができる。
【００８９】
人体の接触状況として、人体の接触部位を判別するようにしたので、腕時計２との間で行われる通信を人体の接触部位に応じて適切に制御することができる。
【００９０】
人体の接触状況として、人体の接触回数を判別するようにしたので、腕時計２との間で行われる通信を人体の接触回数に応じて適切に制御することができる。
【００９１】
人体の接触状況として、人体の接触時間を判別するようにしたので、腕時計２との間で行われる通信を人体の接触時間に応じて適切に制御することができる。
【００９２】
人体の接触状況として、人体が接触した携帯電話機１の部位を判別するようにしたので、腕時計２との間で行われる通信を人体が接触した携帯電話機１の部位に応じて適切に制御することができる。
【００９３】
人体の接触状況に応じて腕時計２との間で行われる通信として、無線ＬＡＮ通信、近距離無線通信、人体接触通信のいずれかによる通信を適切に制御することができる。
【００９４】
なお、上述した第１実施形態において、ユーザ認証処理（図１０のステップＢ７）は、上述した使用状況判別処理（ステップＢ５）の後で行うようにしたが、図１０に示す通信処理の冒頭で接触状況を判別する処理を実行する際に（ステップＢ１）、指紋情報を併せて取得して、それがどの指の指紋情報であるかを、指紋情報記憶部Ｍ６を参照して判別するようにしてもよい。ここで、指紋情報記憶部Ｍ６に記憶されている指紋情報に特徴的に一致していることを確認することで、接触はどの指で行われたのかを判別することができると共に、正当なユーザによる接触であることを判別することができるようになる。
【００９５】
また、人体の接触状況及び使用状況に基づいて携帯電話機１と腕時計２との間で行われるデータ通信を制御する場合、この接触状況と使用状況との組み合わせは、任意であり、例えば、接触回数や接触時間ではなく、人体接触を検出した後、一定時間、クローズスタイルが継続したときに、携帯電話機１と腕時計２との間でデータのシンクロナイズを開始するようにしてもよい。
【００９６】
また、上述した第１実施形態においては、生体情報を指紋情報としたが、静脈パターン情報など、人体の部位を識別したり、ユーザを識別したりすることが可能な任意の生体情報であってもよい。
また、上述した第１実施形態においては、通信対象となるデータの種類を人体の接触状況に応じて選択するようにしたが、特定のデータを選択するようにしてもよい。
また、上述した第１実施形態においては、充電台８として充電機能を備えたクレードルを示したが、充電機能を備えていない単なる設置台であってもよい。
【００９７】
（実施形態２）
以下、本発明の第２実施形態について図１６〜図１９を参照して説明する。
なお、上述した第１実施形態においては、人体の接触状況と携帯電話機１の使用状況に応じて通信するデータを選択して通信するようにしたが、この第２実施形態においては、人体の接触状況に応じて送信及び受信の少なくともいずれか一方を選択して通信するようにしたものである。ここで、両実施形態において基本的あるいは名称的に同一のものは、同一符号を付して示し、その説明を省略すると共に、以下、第２実施形態の特徴部分を中心に説明するものとする。
【００９８】
図１６は、第２実施形態において送信受信選択条件記憶部Ｍ８を説明するための図である。なお、第２実施形態においても上述したプログラム記憶部Ｍ１、各種情報一時記憶部Ｍ２、通信開始条件記憶部Ｍ３、指紋情報記憶部Ｍ６、データ記憶部Ｍ７のほか、送信受信選択条件記憶部Ｍ８を有している。
この送信受信選択条件記憶部Ｍ８は、携帯電話機１から腕時計２に対してデータを送信するか腕時計２からのデータを携帯電話機１で受信するかを選択するための条件を記憶するもので、各送信受信選択条件は、「条件ＩＤ」、「項目」、「内容」、「設定フラグ」のフィールドを有している。「条件ＩＤ」は、送信受信選択条件を識別する情報（一連Ｎｏなど）である。
【００９９】
「項目」は、送信受信選択条件の種類を示し、“携帯電話機から送信”、“
携帯電話機に受信”、“送信＋受信”、“送信／受信選択”を有している。更に、“送信／受信選択”は、“携帯電話機から送信”と“
携帯電話機に受信”とに分かれている。「内容」は、対応する「項目」の具体的な内容を示し、ユーザ操作によって任意に設定されたものである。ここで、“
携帯電話機に受信”は、携帯電話機１側に記憶されているデータを腕時計２に送信することを示し、“
携帯電話機に受信”は、腕時計２側に記憶されているデータを携帯電話機１で受信することを示している。
【０１００】
また、“送信＋受信”は、携帯電話機１側に記憶されているデータを腕時計２に送信し、腕時計２側に記憶されているデータを携帯電話機１で受信することを示している。“送信／受信選択”は、人体の接触状況に応じて、送信（“携帯電話機から送信”）、受信（“携帯電話機に受信”）、“送信＋受信”のいずれかを選択することを示している。この“送信／受信選択”に対応する「内容」は、その具体的な内容を示し、ユーザ操作によって任意に設定されたものである。図示の例では、人体の接触状況が“右手の指で１秒間に２回の接触”に対応して“携帯電話機から送信”が設定され、“左手の指で１秒間に３回の接触”
に対応して“携帯電話機に受信”が設定されている。なお、“送信／受信選択”の「内容」に該当しない接触状況の場合には、“送信＋受信”が選択される。「設定フラグ」は、上述した複数の送信受信選択条件のうち現在有効な条件はどれかを示し、ユーザ操作によって任意に設定されたもので、図示の例では、「設定フラグ」が“１”となっている“送信／受信選択”が現在有効な条件であることを示している。
【０１０１】
図１７は、第２実施形態における通信処理（図９のステップＡ６）を詳述するためのフローチャートである。
先ず、中央制御部１１は、図１１で示したステップＢ２〜Ｂ４に対応してそれと同様の処理を実行する（ステップＧ１〜Ｇ４）。すなわち、筐体への人体接触を検出すると、その接触状況を判別して（ステップＧ１）、一時記憶したのち（ステップＧ２）、通信開始条件記憶部Ｍ３を参照しながら通信開始条件を満たす接触状況であるか否かを判別する通信開始判別処理に移る（ステップＧ３）。この場合、一時記憶した接触状況を読み出すと共に、通信開始条件記憶部Ｍ３を参照し、「設定フラグ」が“１”の通信開始条件を読み出して通信開始条件を満たす接触状況であるか否かとして“通信開始する”、“通信開始しない”を判別する。これによって通信開始判別処理（ステップＧ３）が終了すると、その判別結果は、“通信開始する”であるかを調べる（ステップＧ４）。
【０１０２】
いま、上述の通信開始判別処理（ステップＧ３）の結果、“通信開始しない”と判別したときは（ステップＧ４でＮＯ）、この時点で図１７の通信処理の終了となるが、“通信開始する”と判別したときは（ステップＧ４でＹＥＳ）、送信受信選択条件記憶部Ｍ８を参照して、通信の種類を選択する送信受信選択処理を実行した後（ステップＧ５）、この送信受信選択処理によって選択された種類の通信を実行する通信実行処理に移る（ステップＧ６）。
【０１０３】
図１８は、送信受信選択処理（図１７のステップＧ５）を詳述するためのフローチャートである。
先ず、中央制御部１１は、送信受信選択条件記憶部Ｍ８を参照し、「設定フラグ」が“１”の送信受信選択条件を読み出し（ステップＨ１）、それが“携帯電話機から送信”であれば（ステップＨ２でＹＥＳ）、通信の種類として送信を選択し（ステップＨ３）、“携帯電話機に受信”であれば（ステップＨ４でＹＥＳ）、通信の種類として受信を選択し（ステップＨ５）、“送信＋受信”であれば（ステップＨ６でＹＥＳ）、通信の種類として送信及び受信を選択する（ステップＨ７）。
【０１０４】
また、「設定フラグ」が“１”の送信受信選択条件が“送信／受信選択”であれば（ステップＨ６でＮＯ）、図１７のステップＧ２で一時記憶しておいた接触状況を読み出すと共に（ステップＨ８）、送信受信選択条件記憶部Ｍ８の“送信／受信選択”の「内容」を読み出す（ステップＨ９）。そして、読み出した接触状況に対応付けられている「内容」として、“送信”、“受信”、“送信＋受信”のいずれかを選択する（ステップＨ１０）。例えば、人体の接触状況が“右手の指で１秒間に２回の接触”であれば、“携帯電話機から送信”を選択する。また、“左手の指で１秒間に３回の接触”であれば、“携帯電話機に受信”を選択する。これによって送信受信選択処理が終了すると、この処理で選択された種類の通信を実行する通信実行処理に移る。
【０１０５】
図１９は、通信実行処理（図１７のステップＧ６）を詳述するためのフローチャートである。
先ず、中央制御部１１は、全データを通信候補（比較対象）のデータとする（ステップＩ１）。そして、上述した図１５のデータ選択処理のステップＦ７〜Ｆ１０と同様に、腕時計２との通信路を確立した後（ステップＩ２）、上述のようにして選択した比較対象データが腕時計２側に記憶されているかを調べるために腕時計２側に比較対象データの「固有ＩＤ」を送信すべきことを腕時計２に対して要求し、この要求に応じて腕時計２から送信された「固有ＩＤ」を受信する（ステップＩ３）。そして、携帯電話機１側に記憶されている比較対象データの「固有ＩＤ」をデータ記憶部Ｍ７から読み出し（ステップＩ４）、受信した腕時計２側の「固有ＩＤ」と読み出した携帯電話機１側の「固有ＩＤ」とを比較する（ステップＩ５）。
【０１０６】
ここで、上述した図１７の送信受信選択処理で“送信＋受信”が選択されたのかを調べたり（ステップＩ６）、“受信”又は“送信”が選択されたのかを調べたりする（ステップＩ７）。いま、“送信＋受信”が選択されているときには（ステップＩ６でＹＥＳ）、上述の「固有ＩＤ」の比較結果、携帯電話機１側に記憶されているが、腕時計２側には記憶されていないデータを送信対象データとして選択して（ステップＩ８）、この送信対象データを腕時計２に送信する（ステップＩ９）。そして、携帯電話機１側に記憶されていないが、腕時計２側には記憶されているデータを受信対象データとして選択し（ステップＩ１０）、この受信対象データを腕時計２から受信して（ステップＩ１１）、データ記憶部Ｍ７に記憶させる（ステップＩ１２）。
【０１０７】
また、上述した図１７の送信受信選択処理で“受信”が選択されているときには（ステップＩ７でＹＥＳ）、携帯電話機１側に記憶されていないが、腕時計２側には記憶されているデータを受信対象データとして選択し（ステップＩ１０）、この受信対象データを腕時計２から受信して（ステップＩ１１）、データ記憶部Ｍ７に記憶させる（ステップＩ１２）。また、上述した図１７の送信受信選択処理で“送信”が選択されているときには（ステップＩ７でＮＯ）、携帯電話機１側に記憶されているが、腕時計２側には記憶されていないデータを送信対象データとして選択して（ステップＩ１３）、この送信対象データを腕時計２に送信する（ステップＩ１４）。
【０１０８】
以上のように、この第２実施形態においては、人体の接触状況に基づいて送信及び受信の少なくともいずれか一方を選択して実行するようにしたので、腕時計２との間で行われる送信や受信を人体の接触状況に応じて適切に制御することができ、実用性に富んだものとなる。
【０１０９】
なお、上述した第２実施形態においては、送信受信選択条件である“送信／受信選択”の「内容」に対してのみ人体の接触状況を対応付けるようにしたが、その他の送信受信選択条件にも接触状況を対応付けるようにしてもよい。
【０１１０】
また、上述した各実施形態においては、携帯電話機１と腕時計２との間でのデータ通信によってアドレス帳データ、スケジュールデータなどのデータをシンクロナイズさせるようにしたが、データをシンクロナイズするデータ通信に限らない。
【０１１１】
上述した各実施形態において、通信開始条件記憶部Ｍ３、使用状況条件記憶部Ｍ４、データ選択条件記憶部Ｍ５、送信受信選択条件記憶部Ｍ８に「設定フラグ」を設け、複数の条件の中から所望する条件を現在有効な条件として選択可能としたが、より簡易にするために、例えば、通信開始条件を回数のみとするなど常に１つの条件のみを利用するようにしてもよい。
【０１１２】
上述した各実施形態において、携帯電話機１と腕時計２との間でデータ通信を行う場合に、携帯電話機１側と腕時計２側のそれぞれに記憶されているデータを比較し、お互いに記憶されていないデータを補完するようにしたが、より容易にどちらか一方から他方へデータを送信するようにしてもよい。すなわち、腕時計２側の「固有ＩＤ」と携帯電話機１側の「固有ＩＤ」とを比較した結果、携帯電話機１側に記憶されていて腕時計２側に記憶されていないデータを送信対象データとして選択し、携帯電話機１側に記憶されていなくて腕時計２側に記憶されているデータを受信対象データとして選択するようにしたが、「固有ＩＤ」の比較を行わず、携帯電話機１側の全てのデータを腕時計２側に送信し、腕時計２側で同一のデータを重複して記憶しないように制御したり、腕時計２側の全てのデータを携帯電話機１側に送信し、携帯電話機１側で同一のデータを重複して記憶しないように制御したりするようにしてもよい。
【０１１３】
上述した各実施形態においては、通信対象となるデータとして、アドレス帳データ、スケジュールデータ、画像・データを例示したが、メールデータ、発信履歴データなど、任意のデータであってもよい。
【０１１４】
上述した第１実施形態では、人体の接触状況に応じてデータを選択し、第２実施形態では、人体の接触状況に応じて送信、受信を選択するようにしたが、例えば、ある接触状況であれば、このデータを送信、別の接触状況であれば、別のデータを受信などのように、両方を選択するようにしてもよい。
【０１１５】
上述した各実施形態においては、データを通信する通信手段として、無線ＬＡＮ通信、人体接触通信、近距離通信としたが、それ以外の任意の通信手段であってもよく、また、近距離通信としては赤外線通信、Bluetooth（登録商標）通信に限らず、任意の通信手段であってもよい。
【０１１６】
上述した各実施形態においては、折り畳みタイプの携帯電話機１に適用したが、ストレートタイプ、スライドタイプ、スピントップタイプなど任意の筐体構造であってもよく、また、スタイルとして、クローズスタイル、オープンスタイルを例示したが、筐体構造に応じた任意のスタイルであってもよい。
【０１１７】
上述した各実施形態においては、通信端末装置として携帯電話機を例示したが、これに限らず、例えば、パーソナルコンピュータ、ＰＤＡ、デジタルカメラ、音楽プレイヤー、それらの複合機など、通信機能を備える任意の通信端末装置であってもよい。また、外部装置として腕時計２を例示したが、パーソナルコンピュータ、ＰＤＡ、デジタルカメラ、音楽プレイヤーなど、それらの複合機など、通信機能を備える任意の外部装置であってもよい。
【０１１８】
なお、上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【０１１９】
１  携帯電話機
２  腕時計
３  無線通信網
７  充電ケーブル
８  充電台
１１  中央制御部
１２  電池部
１３  記憶部
１６  ＧＰＳ受信部
１７  近距離通信部
１８  接触通信部
１９  表示部
２０  操作部
２１  ＲＴＣ
２２  報知部
２３  充電台接続部
２４  充電ケーブル接続部
２５  スタイル検出
Ｍ１  プログラム記憶部
Ｍ２  各種情報一時記憶部
Ｍ３  通信開始条件記憶部
Ｍ４  使用状況条件記憶部
Ｍ５  データ選択条件記憶部
Ｍ６  指紋情報記憶部
Ｍ７  データ記憶部
Ｍ８  送信受信選択条件記憶部
【図１】
2010273070.tif 000003
【図２】
2010273070.tif 000004
【図３】
2010273070.tif 000005
【図４】
2010273070.tif 000006
【図５】
2010273070.tif 000007
【図６】
2010273070.tif 000008
【図７】
2010273070.tif 000009
【図８】
2010273070.tif 000010
【図９】
2010273070.tif 000011
【図１０】
2010273070.tif 000012
【図１１】
2010273070.tif 000013
【図１２】
2010273070.tif 000014
【図１３】
2010273070.tif 000015
【図１４】
2010273070.tif 000016
【図１５】
2010273070.tif 000017
【図１６】
2010273070.tif 000018
【図１７】
2010273070.tif 000019
【図１８】
2010273070.tif 000020
【図１９】
2010273070.tif 000021